(57)【要約】      （修正有）【課題】平均回転率の算出のために必要なパチンコ玉の球数を正確にかつ容易に計数しうるパチンコ玉計数容器を提供する。【解決手段】パチンコ玉計数容器は、上方に開口し、既定数のパチンコ玉を立体最密充填で収容しうる収容空間を有した容器本体１と、前記立体最密充填状態で複数段配置された前記規定数のパチンコ玉のうち、収容空間の外周縁に沿う所定数のパチンコ玉の充填のみを遮る除球手段２とを具備する。又、前記除球手段２は、収容空間を構成する容器本体１の底部１０または側部１１に設けられた、パチンコ玉の球径Ｄの半分を超える最大長さの突設体又は切り欠き部からなる。【選択図】図３
0003162752.tif 000002
【実用新案登録請求の範囲】
【請求項１】
上方に開口し、既定数のパチンコ玉を立体最密充填で収容しうる収容空間を有した容器本体（１）と、
前記立体最密充填状態で複数段配置された前記規定数のパチンコ玉のうち、収容空間の外周縁に沿う所定数のパチンコ玉の充填のみを遮って除球する除球手段（２）とを具備してなり、
前記除球手段（２）は、収容空間を構成する容器本体（１）の底部（１０）または側部（１１）に設けられた、パチンコ玉の球径（Ｄ）の半分を超える最大長さの突設体又は切り欠き部からなることを特徴とするパチンコ玉計数容器。
【請求項２】
容器本体（１）の収容空間は、パチンコ玉を段毎に正方形配列とし、立体最密充填配列で複数段積み上げて既定数分を収容し得るものであり、除球手段（２）は、残数を１２５球とするための任意数のみを除球すると共に、除球した部分に突出部を有して、残数の立体最密充填配置を保持しうる請求項１記載のパチンコ玉計数容器。
【請求項３】
容器本体（１）の収容空間は、パチンコ玉を４個×４個で正方形配列し得る略正方形状の底部（１０）と、その周囲から外方へ６０度の交差角で傾斜立設した側部（１１）とから構成された倒立部分四面錐体からなり、
４平面が周方向に連なる側部（１１）によって、パチンコ玉を立体最密充填配列で４段形成した規定数１２６球を収容しうるものであり、
前記除球手段（２）は前記立体最密充填配列中のうちの１球を除球する請求項１又は２記載のパチンコ玉計数容器。
【請求項４】
前記側部（１１）の上端は、パチンコ玉を立体最密充填配列で段形成した５段目の球の下段への接触部よりも下方の位置に高さ設定されると共に、厚さ方向断面において上方湾曲に成形した面取り部（１３）が設けられる請求項１、２又は３のいずれか記載のパチンコ玉計数容器。
【請求項５】
前記除球手段（２）は、底部（１０）又は側部（１１）の一隅部における外面から窪み（２Ｄ）を設けることで収容空間内に突設成形された突設体からなり、この突設体は、柱体状又は部分錐体状の頂部に凸面を有する形状であると共に、それ自体が、前記立体最密充填配列中の一隅部における１球の位置に置き換わることで除球する請求項１、２、３又は４のいずれか記載のパチンコ玉計数容器。
【請求項６】
前記除球手段（２）は、底部（１０）又は側部（１１）の内面に固設された一枚または複数枚の板状体による突起（２５）からなる請求項１、２、３、４又は５のいずれか記載のパチンコ玉計数容器。
【請求項７】
或いは前記除球手段（２）は、底部（１０）又は側部（１１）の内面に固設された、パチンコ玉の球径（Ｄ）と同一又はそれ以下の球径の球体（２３）による突起からなる請求項１、２、３又は４のいずれか記載のパチンコ玉計数容器。
【考案の詳細な説明】
【技術分野】
【０００１】
本考案はパチンコ遊技機の使用において、発射部内に投入するための所定個数のパチンコ玉を正確にかつ容易に計数し得るパチンコ玉計数容器に関する。
【背景技術】
【０００２】
パチンコ玉収納容器として、従来、上方開口状の箱体１から成り、前壁11・後壁12の上端面４に内方下傾の玉誘導用勾配面２，２を有し、勾配面２の傾斜角度βが所定範囲に設定されたものが開示される（特許文献１参照）。これは、パチンコ玉が多量に流入した場合にも、確実にパチンコ玉を内部に落とすことができる、とされる。
【特許文献１】特開２００１−１６２０３０号公報
【考案の概要】
【考案が解決しようとする課題】
【０００３】
ここで、パチンコ遊技機で高い勝率を確保するためには、一般的に、スタートチャッカーに入って回転をはじめる回数と、投入した球数との比率である”回転率”が重要となる。例えば同じ釘配置の状態であってほぼ一定の強さでパチンコ玉を発射すれば、一定の発射量を超えることで所定投入球数当たりの平均回転率がどれだけであるかを判断することができる。
【０００４】
また機種ごとの当り確率のデータを基に、ある機種における回転率に応じた期待収支の金額、或いは勝率を算出することも可能である。例えば有るＣＲ機種では、投入球数２５０球（１０００円相当）当りの回転率「１８」〜「１９」が期待収支の損益分岐点となり、同回転率が「１６」や「１７」では収支がマイナスの金額であって勝率を上げることはできない。
【０００５】
この”回転率”を正確に判断するためには、投入した球数と回転数とを誤差なくカウントすることが必要となる。１球４円の貸出し値段設定では、５００円によって１２５球の貸与を受けることができるが、このときに５００円分での投入球数毎に１球の誤差が生じたとすると、５万円分の投入球数では１００球もの誤差が生じてしまう計算になる。このため投入球数を一球の差もなく正確に数えて投入しなければ、所定投入球数当たりの平均回転率を正確に算出することができない。
【０００６】
一方で１０００円分である２５０球、あるいは２０００円分である５００球の投入回数をカウントすることで回転数を算出すると、一回の投入球数が多すぎるため、途中で当りが生じたときに、所定投入球数当たりの平均回転数を正確に算出することができない。
【０００７】
また一方で、投入球数のカウントのために手間をとってしまうと、誤射の数が増えてしまい、一定の強さで球を発射するという回転率算出の前提条件が覆ってしまう。このため、多すぎない必要球数だけを正確に、且つできる限り容易に計数しうる計数容器が求められていた。
【０００８】
しかしながら前記パチンコ玉収納容器はいわゆるドル箱と呼ばれるパチンコ玉の総集用の容器であり、厳密な収容玉数を問題とするものではない。
【０００９】
そこで本考案では、回転率の算出のために必要な球数を正確にかつ容易に計数しうる計数容器を提供することを課題とする。
【課題を解決するための手段】
【００１０】
上記課題を解決すべく本考案では以下（１）〜（７）の手段を講じている。
（１）本考案のパチンコ玉計数容器は、
上方に開口し、既定数のパチンコ玉を立体最密充填で収容しうる収容空間を有した容器本体１と、
前記立体最密充填状態で複数段配置された前記規定数のパチンコ玉のうち、収容空間の外周縁に沿う所定数のパチンコ玉の充填のみを遮る除球手段２とを具備してなり、
前記除球手段２は、収容空間を構成する容器本体１の底部１０または側部１１に設けられた、パチンコ玉の球径Ｄの半分を超える最大長さの突設体又は切り欠き部からなることを特徴とする。
（２）上記パチンコ玉計数容器において、容器本体１の収容空間は、パチンコ玉を段毎に正方形配列とし、立体最密充填配列で複数段積み上げて既定数分を収容し得るものであり、除球手段は、残数を１２５球とするための所定数のみを除球すると共に、除球状態において除球した部分に突出部を有して、残数の立体最密充填配置を保持しうる保持部を有することが好ましい。なおここでいう１２５球はパチンコ玉１個当たりの貸し金額が４円に設定されていたときの５００円分に相当する玉数である。この個数は、正確な平均回転率を算出するための１回あたりの投入玉数として、多すぎずかつ少なすぎない適当な数である。
（３）上記いずれかのパチンコ玉計数容器において、容器本体１の収容空間は、パチンコ玉を４×４個で正方形配列し得る略正方形状の底部１０と、その周囲から外方へ６０度の交差角で傾斜立設した側部１１とから構成された倒立部分四面錐体からなり、
４平面が周方向に連なる側部１１によって、パチンコ玉を立体最密充填配列で４段形成した規定数１２６球を収容しうるものであり、
前記除球手段２は前記立体最密充填配列中の１球を除球するものであることが好ましい。
（４）上記いずれかのパチンコ玉計数容器において、前記側部１１の上端は、パチンコ玉を立体最密充填配列で段形成した５段目の球の下段への接触部よりも下方の位置に高さ設定されると共に、厚さ方向断面において上方湾曲に成形した面取り部１３が設けられることが好ましい。
（５）上記（１）〜（４）いずれかのパチンコ玉計数容器において、前記除球手段２は、底部１０又は側部１１の一隅部における外面から窪み２Ｄを設けることで収容空間内に突設成形された突設体からなり、この突設体は、柱体状又は部分錐体状の頂部に凸面を有する形状であると共に、それ自体が、前記立体最密充填配列中の一隅部における１球の位置に置き換わることで除球するものであることが好ましい。
【００１１】
特に柱状又は部分錐状の中心軸の頂部が最大突設部となり、底部１０又は側部１１の一隅部における設置内面から頂部までの中心軸に沿う最大突設長さは、パチンコ玉の球径Ｄと同じであるかそれよりもプラスマイナス１０％の長さであることが好ましい。
（６）或いは上記（１）〜（４）いずれかのパチンコ玉計数容器において、前記除球手段２は、底部１０又は側部１１の内面に固設された一枚または複数枚の板状体による突起からなるものとすることができる。
（７）或いは上記（１）〜（４）いずれかのパチンコ玉計数容器において、前記除球手段２は、底部１０又は側部１１の内面に固設された、パチンコ玉の球径Ｄと同一又はそれ以下の球径の球体による突起からなるものとすることができる。
【考案の効果】
【００１２】
本考案では上記手段を採用することで、多すぎない必要球数だけを正確にかつ容易に計数しうる計数容器を提供することが可能となった。
【図面の簡単な説明】
【００１３】
【図１】実施例１のパチンコ玉計数容器の上方斜視図。
【図２】パチンコ玉収容状態における実施例１のパチンコ玉計数容器の平面説明図。
【図３】図２の正面視Ａ−Ａ線断面図。
【図４】図２の正面視Ｂ−Ｂ線断面図。
【図５】実施例１のパチンコ玉計数容器の左側面図。
【図６】実施例１のパチンコ玉計数容器の底面図。
【図７ａ】実施例２のパチンコ玉計数容器の上方斜視図。
【図７ｂ】実施例３のパチンコ玉計数容器の上方斜視図。
【図８ａ】実施例４のパチンコ玉計数容器の上方斜視図。
【図８ｂ】実施例５のパチンコ玉計数容器の上方斜視図。
【図９】実施例６のパチンコ玉計数容器の製造方法を説明する上方斜視図。
【図１０】実施例７のパチンコ玉計数容器の上方斜視図。
【図１１】パチンコ玉収容状態における実施例７のパチンコ玉計数容器の平面、背面及び右側面を示す斜視説明図。
【図１２ａ】実施例８のパチンコ玉計数容器の上方斜視図。
【図１２ｂ】実施例９のパチンコ玉計数容器の上方斜視図。
【図１３】実施例１０のパチンコ玉計数容器の上方斜視図。
【図１４】パチンコ玉収容状態における実施例１０のパチンコ玉計数容器の平面、背面及び右側面を示す斜視説明図。
【考案を実施するための形態】
【００１４】
以下、本考案を実施するための形態例につき、実施例１〜１０として示す各図と共に説明する。いずれの実施例においても本考案のパチンコ玉計数容器は基本的に、上方に開口し、既定数のパチンコ玉を立体最密充填で収容しうる収容空間を有した容器本体１と、前記立体最密充填状態で複数段配置された前記規定数のパチンコ玉のうち、収容空間の外周縁に沿う所定数のパチンコ玉の充填のみを遮って除球する除球手段２とを具備してなる。
【００１５】
本考案のパチンコ玉計数容器への収容状態におけるパチンコ玉は、水平方向に正方形配列された各段が、下段から上段に移るたびに一辺内の配列個数を一つずつ増加させる収容空間を有しており、しかも、高さ方向への各段への積み重ねは、下段の４球面で構成される立体最密充填位置の隙間、或いは下段の２球面と各球面に隣り合う２側部の面で構成される立体最密充填位置の隙間に入り込み、側部２０の四方枠に従って倒立四角錐状に集積されることで、四角錐の頂部の一部を除いた立体最密充填配列の倒立形状をなす。
【００１６】
ここで、収容状態の球体配列は一種の立体立方格子の充填配列であるから、収容時の安定性が高い。このため、本考案のパチンコ玉計数容器の仕様の際には、例えばドル箱等に収容された計数以上の多数のパチンコ玉内に本考案のパチンコ玉計数容器を差し入れて救い上げ、開口部に誤って乗った過段位置の球を指などで水平にすり切るだけで、自然と本配列として決まった「四角錐数マイナス除球数」分の正確かつコンパクトな収容が可能となる。これは、跳ねにくい金属製表面のパチンコ玉の性質と、倒立形状の多角錐状の収容容器の形状とが相俟って、一つ一つ並べなくとも自然と段形成されることによる。また収容後は互いに安定した配列で収容されるため、１０度未満で多少傾けただけでは一部が誤って零れ落ちにくく、収容後の取扱いにも優れたものとなっている。
【００１７】
また側部１１は、４面の倒立台形状の平面からなる側面板が、それぞれ側方傾斜して立設されると共に、隣り合う側面板同士が平面視にて直交することで、四方に枠状に組み合される。このとき隣り合う側面板同士が直交して連なる内側隅部は、平面視円弧状の凹状湾曲部１２として形成され、パチンコ玉の球体が安定して立体最密充填位置の隅部に収容可能となっている。
【００１８】
さらに側部１１の底部１０からの鉛直方向高さ１１ｈは、余分な集積段（過段目）である５段目のパチンコ玉が、最上段の集積段である４段目のパチンコ玉と接する５段目接点Ｔ５の高さと同程度に設定される（図３）か、それ（５段目接点Ｔ５の高さ）よりも低い高さであってかつ下段の４段目接点Ｔ４を超えた高さに設定される。これにより、誤って過段目に乗ったパチンコ玉は、指等で収容空間の上部開口を略水平に動かして払い除けるだけで、容易に側方へ滑り移って収容空間外に排出される。またこのとき、最上段の集積段である４段目のパチンコ玉は、側部１１で四方枠状に正方形配列され、かつ下段の３段目と面心立方格子の位置に収容されているため、過段目に乗ったパチンコ玉との摩擦によってそれと共に落下することはない。
【００１９】
なお立体最密充填配列によって側部１１の鉛直方向高さ１１ｈは比較的小さく設定され、パチンコ遊技機の投入皿の下部であるドル箱の内部や側部に置いても邪魔にならないコンパクトなサイズとなり得る。
【００２０】
またさらに、側部１１の上端で構成される四方の上縁枠は、板面の厚さ方向内外に面取りが施され、厚さ方向断面において上方湾曲に両面成形した面取り部１３となっている。これにより、容器本体１自体を大きく傾けることなく、端部から余分な過段目のパチンコ玉を払い落すことがより容易となる。
【００２１】
そして本考案の特徴の一つである除球手段２は、収容空間を構成する容器本体１の底部１０または側部１１に設けられた突設体又は切り欠き部からなることを特徴とする。また前記除球手段２が突設体からなる場合には、パチンコ玉の球径Ｄの半分を超える最大突設長さとなっている。又、前記除球手段２が切り欠き部からなる場合には、パチンコ玉の球径Ｄの半分を超える最大切り欠き深さ及びパチンコ玉の球径Ｄの半分を超える最大切り欠き幅となっている。尚実際のパチンコ玉の倒立四角錐配列においては、最大突設長さが、パチンコ玉の球径Ｄよりもプラスマイナス１０％の長さの範囲内にあればよいことが、発明者の試行により判明した。
【００２２】
除球手段２は、後述する実施例１〜６のように収容空間内に突設するか或いは実施例１０のように収容空間内に突入して遮断する「突設体」からなるものとしてもよく、後述する実施例７〜９のように、側部１１の上縁の一部を切り欠いてその部分のみ落球可能とした「切り欠き部」からなるものとしてもよい。また後述する実施例１，実施例４〜６，或いは実施例８〜１０のように、平面視正方形配列の四隅のうち一つの隅部の凹状湾曲部１２上に設けられるものとしてもよい。以下、各実施例の構成につき詳述する。
【実施例１】
【００２３】
図１〜６に示す実施例１のパチンコ玉計数容器は、立体最密充填で４段分の倒立四角錐体の側面１１を有した容器本体１において、一段目に相当する底部１０の一隅部が円柱状に上方突設した突設体からなる除球手段２が設けられ、４×４個マイナス１、５×５個、６×６個、及び７×７個の正方水平配列を各段として立体最密充填配列によって収容空間内にパチンコ玉を収容し、４段目として開放される上方の開口をすりきることで１２５個を正確に計数できるようになっている。
【００２４】
（容器本体１）
実施例１の容器本体１は、パチンコ玉を水平に隙間なく正方形配列し得る隅丸正方形状の底部１０と、その周囲から外方へ６０度の交差角で傾斜立設した側部１１とから構成された倒立部分四面錐体、いわゆるピラミッドの一部側面の倒立体からなる。底部１０及び４面の側部１１とで構成される収容空間は、パチンコ玉を段毎に正方形配列とし、立体最密充填配列で複数段積み上げて既定数分を収容し得る。
【００２５】
具体的には実施例１の容器本体は、除球手段２を設けない本来の状態では、４平面が周方向に連なる側部１１によって、パチンコ玉を立体最密充填配列で４段形成した規定数１２６球を収容しうる。すなわち除球手段２を設けない状態の収容空間は、１段目Ｂ１のパチンコ玉を縦４個×横４個の正方形配列によって隙間なく収容可能な大きさであるが、このうち一つの隅部に、１球のパチンコ玉とほぼ同じ大きさの径の円柱２１を有した突設体からなる除球手段２が形成され、これによって１段目Ｂ１には４の２乗から１を除した１５個の収容が可能となっている。
【００２６】
そして実施例１の収容空間全体として、前記１段目の正方形配列及び除球手段２からなる１辺４個の正方形配列の上に、２段目Ｂ２のパチンコ玉を縦５個×横５個の正方形配列によって立体最密充填可能であり、さらにその上に３段目Ｂ３のパチンコ玉を縦６個×横６個の正方形配列によって立体最密充填可能であり、そしてその上に４段目Ｂ４のパチンコ玉を縦７個×横７個の正方形配列によって立体最密充填可能としている。
【００２７】
（除球手段２）
除球手段２は、残数を１２５球とするための所定数のみを除球すると共に、除球状態において残数の立体最密充填配置を保持しうる保持部を有する。突設体は、柱体状である円柱部２１の頂部に凸面を有する部分球冠状の立体凸部２２を有する形状である
【００２８】
実施例１の除球手段２は代表長さがパチンコ玉径Ｄと同一の突設体からなり、前記立体最密充填配列中の１球に置き換わってパチンコ玉１球を除球する。
【００２９】
（面取り部１３）
前記側部１１の上端は、パチンコ玉を立体最密充填配列で段形成した５段目の球の下段への接触部よりも下方の位置に高さ設定されると共に、厚さ方向断面において上方湾曲に成形した面取り部１３が設けられる。
【００３０】
（窪みＤによる突設体）
前記除球手段２は、底部１０又は側部１１の一隅部における外面から窪み２Ｄを設けることで収容空間内に突設成形された突設体からなり、この突設体は、円柱部２１又は部分錐体状の頂部に立体凸部２２を有する形状であると共に、それ自体が、前記立体最密充填配列中の一隅部における１球の位置に置き換わることで除球する。このような形状は例えばプレス成型によって容器本体１と一体的に成形される。このとき円柱部２１の下端と底部１０との間、及び、円柱部２１の側部と側部１１との間には、それぞれ凹面状に湾曲した連接部２０が形成され、突設体と容器本体の各面との間を滑らかな曲面で強固に連ねるものとしている。
【実施例２】
【００３１】
図７ａに示す実施例２のパチンコ玉計数容器は、底部１０の中央寄りの位置に柱状部２１と凸面部２２とからなる突設体が上方突出してなる。他の構成は上記及び実施例１と同様である。
【実施例３】
【００３２】
図７ｂに示す実施例３のパチンコ玉計数容器は、側部１１の一面の幅方向中央且つ最上段部の位置に柱状部２１と凸面部２２とからなる突設体が鉛直上方に突出形成される。他の構成は上記及び実施例１と同様である。
【実施例４】
【００３３】
図８ａに示す実施例４のパチンコ玉計数容器は、底部１０の一隅部に三角錐状部２１と三角錐頂部の凸面部２２とからなる突設体が上方突出してなる。他の構成は上記及び実施例１と同様である。
【実施例５】
【００３４】
図８ｂに示す実施例５のパチンコ玉計数容器は、底部１０の一隅部に四角柱状部２１からなる突設体が上方突出してなる。この四角柱は隣り合う２面の側部にも連なる。他の構成は上記及び実施例１と同様である。
【実施例６】
【００３５】
図９に示す実施例６の除球手段２は、底部１０又は側部１１の内面に貼着固設された、パチンコ玉の球径Ｄと同一又はそれ以下の球径の球体による突起からなる。他の構成は上記及び実施例１と同様である。
【実施例７】
【００３６】
図１０及び図１１に示す実施例７のパチンコ玉計数容器は、水平切り欠き部２４１と縦方向切り欠き部２４２とによる三方枠からなる切り欠き構造が、側部１１の一面の上端の一部に形成される。他の構成は上記及び実施例１と同様である。
【実施例８】
【００３７】
図１２ａに示す実施例８のパチンコ玉計数容器は、凹状湾曲部１２を中心として湾曲し、その左右の側部１１の上端付近を水平に切り欠いた水平切り欠き部２４１と、その両側部にて鉛直縦方向に伸びて側部１１の上端に至る縦方向切り欠き部２４２とによる三方枠からなる切り欠き構造が、側部１１の一面の上端の一部に形成される。他の構成は上記及び実施例１と同様である。
【実施例９】
【００３８】
図１２ｂに示す実施例９のパチンコ玉計数容器は、比較的小さな比水平傾斜角度で傾斜した一方（符号２４２で指示された左側の辺）の縦方向切り欠き部２４２と、これよりも大きな比水平傾斜角度で傾斜した他方（符号２４２で指示された右側の辺）の縦方向縦方向切り欠き部２４２とによる２方枠からなる略Ｖ字形の切り欠き構造２４が、側部１１の一面の上端の一部に形成される。他の構成は上記及び実施例１と同様である。
【実施例１０】
【００３９】
図１３及び図１４に示す実施例１０の除球手段２は、底部１０又は側部１１の内面に固設された一枚の板状体２５による突設構造と、その両側部にて側部１１の一部を縦方向に切り欠いた縦方向切り欠き部２４２による切り欠き構造との組み合わせからなる。板状体２５は隣り合う側部１１の板同士の連接部を平面視斜めに横断する鉛直方向板からなり、両側部１１の上端隅部を鉛直方向に切除した部分を亘ることで、板状体２５が側部１１と共に収容空間の枠部を形成する。収容空間内の最上段である４断目は板状体２５の斜め方向への横断によって、平面視略５角形を構成し、正方形配列の一隅部を除球すると共に、鉛直方向面を有した板体の隅部への設置によって、パチンコ玉に代わって周囲を保持することで、除球後の周囲のパチンコ玉の位置を保持し、立体最密充填配列を除球状態においても確実に維持するものとしている（図１４）。
【００４０】
また板状体２５の上縁は、高さ方向位置において側部１１の上縁よりも低くかつ４段目のパチンコ玉の収容高さの中心よりも高い位置に設定される。また縦方向切り欠き部２４２はこの板状体２５の上縁の両側部と側部１１の上縁とを斜め方向に亘って各側部１１の片側上隅部を縦方向に切り欠いたものとなっている。実施例１０のように、切り欠き部と外枠を構成する突設部（突設構造）との組み合わせからなる除球手段とすることで、余分な過断目の球を取り除いたり、計数収容後のパチンコ玉をパチンコ遊技機の発射台部へ狙って投入することを容易にしている。
【００４１】
（他の形態例）
なお、板体で構成する除球手段２は、このほかに一枚または複数枚の板状体による突起からなるものとしてもよい。例えば断面十字状或いは放射状に交差した複数板で軸方向に伸びた立体構造としてもよく、鉛直板または水平板を収容空間内に固設することで一部のパチンコ玉の配置を遮蔽するものでもよい。
【００４２】
上記に説明されるパチンコ玉計数容器は、上述した実施例に限定されることなく、本考案の趣旨を逸脱しない範囲で種々の形状の変更、寸法の変更、配置の変更、あるいは部分的な要素の抽出、一体構成と別体構成の変更、一部要素同士の組み合わせや除外が可能である。例えば容器本体１は収容空間のみを正四角錐として外形の側部や底部を異なる形状としてもよく、また収容空間は、正四角錐による立体最密充填配列に限らず、三角錐あるいはその他の正多角錐面体としてもよく、また底部１０の上面あるいは側部１１の内面に仕切り板や中仕切り構造を有していてもよい。他に除球手段２の突設形状は実施例のものに限られず、その大きさも１個分に限られず、水平方向に複数個分或いは縦方向に複数個分配置してもよい。
【符号の説明】
【００４３】
１  容器本体
２  除球手段
１０  底部
１１  側部
Ｄ  球径
１３  面取り部
２Ｄ  窪み
【図１】
0003162752.tif 000003
【図２】
0003162752.tif 000004
【図３】
0003162752.tif 000005
【図４】
0003162752.tif 000006
【図５】
0003162752.tif 000007
【図６】
0003162752.tif 000008
【図７ａ】
0003162752.tif 000009
【図７ｂ】
0003162752.tif 000010
【図８ａ】
0003162752.tif 000011
【図８ｂ】
0003162752.tif 000012
【図９】
0003162752.tif 000013
【図１０】
0003162752.tif 000014
【図１１】
0003162752.tif 000015
【図１２ａ】
0003162752.tif 000016
【図１２ｂ】
0003162752.tif 000017
【図１３】
0003162752.tif 000018
【図１４】
0003162752.tif 000019